(57)【特許請求の範囲】
【請求項１】
ネットワークと、
前記ネットワークに接続されたサーバと、
前記ネットワークに接続され、装飾タイヤの注文を行うためのユーザ端末と、を備え、
前記サーバは、
前記装飾タイヤの外観を前記ユーザ端末の表示画面に表示させる画面表示手段と、
前記ユーザ端末からの情報に基づき、前記装飾タイヤに装着するホイールの形状と前記装飾タイヤが装着される車両の形状と当該車両のボディカラーとの情報を取得し、当該ホイールの形状と当該車両の形状と当該車両のボディカラーとに基づいて、ホイールが装着され、車両に装着された前記装飾タイヤの外観を前記ユーザ端末の表示画面に表示させるホイール・車両情報取得手段と、
を含み、
前記サーバの前記画面表示手段は、前記装飾タイヤに回転混色法による画像処理を行った静止画を作成し、当該静止画を前記ユーザ端末の表示画面に表示させることができることを特徴とする装飾タイヤ注文システム。
【請求項２】
前記サーバの前記画面表示手段は、前記装飾タイヤを回転軸周りに少しずつ回転させて車両走行時の前記装飾タイヤの外観を示す動画を作成し、当該動画を前記ユーザ端末の表示画面に表示させることができることを特徴とする請求項１に記載の装飾タイヤ注文システム。
【請求項３】
ネットワークと、前記ネットワークに接続されたサーバと、前記ネットワークに接続され、装飾タイヤの注文を行うためのユーザ端末からなる装飾タイヤ注文システムにおけるユーザ端末への画面表示方法であって、
前記サーバが、前記装飾タイヤの外観を前記ユーザ端末の表示画面に表示させる手順と、
前記サーバが、前記ユーザ端末からの情報に基づき、前記装飾タイヤに装着するホイールの形状と前記装飾タイヤが装着される車両の形状と当該車両のボディカラーとの情報を取得する手順と、
前記サーバが、前記ホイールの形状と前記車両の形状と前記車両のボディカラーとに基づいて、ホイールが装着され、車両に装着された前記装飾タイヤの外観を前記ユーザ端末の表示画面に表示させる手順と、
前記サーバが、前記装飾タイヤに回転混色法による画像処理を行った静止画を作成し、当該静止画を前記ユーザ端末の表示画面に表示させる手順と、
を含むことを特徴とする画面表示方法。
【発明の詳細な説明】
【技術分野】
【０００１】
本発明は、ネットワークと、該ネットワークに接続されたサーバと、該ネットワークに接続され、装飾タイヤの注文を行うためのユーザ端末とを含む装飾タイヤ注文システムおよび装飾タイヤ注文システムの画面表示方法に関する。
【背景技術】
【０００２】
購入する商品に施される装飾を、自分でデザインすることを求めるユーザが、ＰＣ（Personal Computer）等の端末からインターネットを通じて業者のサイトにアクセスして商品をデザインし、その商品を発注するシステムが提案されている。例えば、特許文献１には、ユーザが写した写真が印刷されたハガキを、インターネットを通じて注文するシステムが記載されている。
【０００３】
ところで、タイヤについても、車のファッション性を高めるために、装飾入りのタイヤ（以下、装飾タイヤという）を自分でデザインしたいというユーザの要望が高まっている。
【先行技術文献】
【特許文献】
【０００４】
【特許文献１】特開２００６−１１１２４２号公報
【発明の概要】
【発明が解決しようとする課題】
【０００５】
しかしながら、タイヤは、車両に、そしてホイールに装着されるため、ユーザが自分で装飾タイヤをデザインする際に、その装飾が、車両やホイールと調和（マッチング）するか否かを予め確認する必要がある。従来、装飾が、自分の車両やホイールと調和するか否かを確認することは容易ではなかったため、タイヤに装飾を施して、車両やホイールに装着した後、その装飾が調和しないため、当該タイヤを廃棄することがあった。
【０００６】
本発明は、このような問題点に鑑みてなされたものであり、本発明の目的は、車両やホイールと調和する装飾タイヤをデザインすることができる装飾タイヤ注文システムおよび画面表示方法を提供することにある。
【課題を解決するための手段】
【０００７】
上記目的を達成するため、本発明の装飾タイヤ注文システムは、ネットワークと、前記ネットワークに接続されたサーバと、前記ネットワークに接続され、装飾タイヤの注文を行うためのユーザ端末とを備え、前記サーバは、前記装飾タイヤの外観を前記ユーザ端末の表示画面に表示させる画面表示手段と、前記ユーザ端末からの情報に基づき、前記装飾タイヤに装着するホイールの形状と前記装飾タイヤが装着される車両の形状と当該車両のボディカラーとの情報を取得し、当該ホイールの形状と当該車両の形状と当該車両のボディカラーとに基づいて、ホイールが装着され、車両に装着された前記装飾タイヤの外観を前記ユーザ端末の表示画面に表示させるホイール・車両情報取得手段と、を含み、前記サーバの前記画面表示手段は、前記装飾タイヤに回転混色法による画像処理を行った静止画を作成し、当該静止画を前記ユーザ端末の表示画面に表示させることができることを特徴とする。
このシステムによれば、ユーザは、装飾タイヤをデザインする際に、その装飾が車両やホイールと調和するか否かを確認することができるので、車両やホイールと調和する装飾タイヤをデザインすることができる。
【０００８】
本発明の装飾タイヤの注文システムにおいては、前記サーバの前記画面表示手段は、前記装飾タイヤを回転軸周りに少しずつ回転させて車両走行時の前記装飾タイヤの外観を示す動画を作成し、当該動画を前記ユーザ端末の表示画面に表示させることができることが好ましい。
ここで、前記装飾タイヤは、前記ユーザ端末にてタイヤが特定され、デザインが行われることが好ましい。この場合には、ユーザは、ユーザが特定したタイヤについて、その装飾が車両やホイールと調和するか否かを確認して装飾タイヤをデザインすることができる。
【００１０】
そして、本発明の装飾タイヤ注文システムは、前記サーバを介して前記注文を受け付ける受注端末を更に備えることが好ましい。この場合には、ユーザがデザインした装飾タイヤを即座に受注して、短期間で装飾タイヤをユーザに提供することができる。
【００１１】
次に、本発明の画面表示方法は、ネットワークと、前記ネットワークに接続されたサーバと、前記ネットワークに接続され、装飾タイヤの注文を行うためのユーザ端末からなる装飾タイヤ注文システムにおけるユーザ端末への画面表示方法であって、前記サーバが、前記装飾タイヤの外観を前記ユーザ端末の表示画面に表示させる手順と、前記サーバが、前記ユーザ端末からの情報に基づき、前記装飾タイヤに装着するホイールの形状と前記装飾タイヤが装着される車両の形状と当該車両のボディカラーとの情報を取得する手順と、前記サーバが、前記ホイールの形状と前記車両の形状と前記車両のボディカラーとに基づいて、ホイールが装着され、車両に装着された前記装飾タイヤの外観を前記ユーザ端末の表示画面に表示させる手順と、前記サーバが、前記装飾タイヤに回転混色法による画像処理を行った静止画を作成し、当該静止画を前記ユーザ端末の表示画面に表示させる手順と、を含むことを特徴とする。
この方法によれば、ユーザは、装飾タイヤをデザインする際に、その装飾が車両やホイールと調和するか否かを確認することができるので、車両やホイールと調和する装飾タイヤをデザインすることができる。
【図面の簡単な説明】
【００１２】
【図１】本発明の実施の形態に係る装飾タイヤ注文システムの構成を示す図である。
【図２】サーバの制御構成を示す機能ブロック図である。
【図３】ユーザ端末に表示される画面の一例を示す図である。
【図４】ユーザ端末に表示される車両に装着された状態のタイヤの外観の画面の一例を示す図である。
【図５Ａ】本発明の実施の形態に係る装飾タイヤ注文システムの動作を説明するフロー図である。
【図５Ｂ】本発明の実施の形態に係る装飾タイヤ注文システムの動作を説明するシーケンス図である。
【発明を実施するための形態】
【００１３】
本発明の実施の形態について図面を参照して説明する。図１は、本発明の実施の形態に係る装飾タイヤ注文システムの構成を示す図である。本発明の実施の形態に係る装飾タイヤ注文システム１は、ユーザが装飾タイヤをデザインする際に、その装飾が、自分の車やホイールと調和するか否かを予め確認するのに好適なシステムである。
【００１４】
なお、この実施の形態において、ユーザとは、装飾タイヤをデザインして発注する者をいう。また、タイヤに施される装飾とは、印刷された色、文字、図形、バーコードを含む記号、模様等を含むとともに、タイヤ表面に凹凸を形成することや、タイヤの表面にシール等を設けることを含むものとする。
【００１５】
装飾タイヤ注文システム１は、サーバ３と、複数のユーザ端末４と、１つ以上の受注端末５から構成され、サーバ３は、ユーザ端末４および受注端末５のそれぞれとネットワーク２を介して通信可能に接続される。
【００１６】
サーバ３、ユーザ端末４および受注端末５を接続するネットワークの例として、インターネットやイントラネットなどがある。ネットワークは、無線ネットワーク、有線ネットワーク、有線と無線が混在したネットワークのいずれでもよい。サーバ３、ユーザ端末４および受注端末５の間のインタフェースは、例えば、ユーザ端末４および受注端末５がＷｅｂブラウザを備え、サーバ３は、Ｗｅｂブラウザを立ち上げて、ＨＴＴＰやＨＴＴＰＳによる通信で実現することができる。
【００１７】
サーバ３は、ユーザがユーザ端末４で装飾タイヤをデザインできるように各種処理を行うとともに、各種タイヤの形状や、装飾タイヤの受注情報等を管理するサーバである。
【００１８】
ユーザ端末４は、装飾タイヤをデザインするユーザが使用する端末である。ユーザ端末４は、例えば、ＰＣ、ＰＤＡ、携帯電話機等である。
【００１９】
受注端末５は、タイヤの工場や販売店等の担当者が使用する端末である。受注端末５は、例えば、ＰＣ、ＰＤＡ、携帯電話機等である。
【００２０】
（サーバの構成）
図２に示すように、サーバ３は、画面表示手段１１と、ホイール・車両情報取得手段１２と、受注手段１４と、受注情報取得手段１５と、データベース１６と、情報通信手段１７を備える。
【００２１】
サーバ３は、ユーザ端末４の表示画面に情報を表示させる機能と、ホイールや車両の情報を表示させる機能と、装飾タイヤを受注する機能とを有するように、各手段が構成される。
【００２２】
画面表示手段１１は、ユーザ端末４の表示画面に各種画面情報を表示させる機能を有する。ユーザ端末４に表示される画面は、例えば、図３に示すような、装飾タイヤデザイン画面の他、タイヤ回転シミュレーション画面、受注画面等である。
【００２３】
ホイール・車両情報取得手段１２は、データベース１６からホイールおよび車両の外観のイメージ情報を取得して、ユーザ端末４の表示画面にホイールおよび車両の外観を表示させる機能を有する。ユーザ端末４に表示される画面は、例えば、図４に示すような、ホイールが装着され、車両に装着された状態のタイヤの外観の画面である。
【００２４】
受注手段１４は、ユーザがデザインした装飾タイヤを受注する機能を有する。受注時にサーバ３が受け取る情報は、例えば、タイヤの種類、型名、デザインされた装飾、ユーザの氏名、住所、口座番号等の個人情報や、タイヤの受け取り方法である。
【００２５】
受注情報取得手段１５は、タイヤの工場や販売店等の担当者が、受注した装飾タイヤの各種情報を取得するための機能である。
【００２６】
データベース１６は、各種タイヤの形状、各種ホイールの形状、各種車両の形状、受注情報、ユーザの個人情報等を格納する。
【００２７】
情報通信手段１７は、サーバ３がユーザ端末４および受注端末５とインターネットを介して通信を行う機能である。
【００２８】
（端末の構成）
ユーザ端末４および受注端末５は、同一の構成で実現することができ、それぞれ図示しない情報通信手段と、情報入出力手段とを備える。
【００２９】
情報通信手段は、サーバ３との間で情報を送受信する機能を有する。情報通信手段としてインターネット回線に接続可能なＷｅｂブラウザを利用することができる。
【００３０】
情報入出力手段は、ユーザが装飾タイヤのデザインや発注等を行うための情報入力機能と、それらの結果を確認するための情報出力機能とを有する。情報入出力手段として、ディスプレイ、キーボード、マウスおよび記憶媒体のスロットを備えたＰＣを利用することができる。
【００３１】
（装飾タイヤのデザイン）
次に、図５Ａ、５Ｂのフローチャートを参照して、装飾タイヤ注文システム１を使用してユーザが装飾タイヤをデザインする際の動作を説明する。なお、ユーザ端末４は、サーバ３へのアクセスを確立しており、サーバ３のデータベース１６には、さまざまなタイヤの形状、ホイールの形状、車両の形状等が格納されているものとする。
【００３２】
ステップ１０１では、ユーザは、ユーザ端末４で、車種、用途、サイズ、型名等を入力して、デザインを行う装飾タイヤを特定する。タイヤは、車種（乗用車、トラック、バス等）、用途（エコタイヤ、スタッドレスタイヤ等）、サイズ、型名等で特定される。特定された装飾タイヤの情報は、サーバ３に送信され、サーバ３の画面表示手段１１は、データベース１６からタイヤの形状等を取得し、ユーザ端末４に特定された装飾タイヤの外観を表示させる。
【００３３】
ステップ１０２では、ユーザは、ユーザ端末４で、装飾タイヤのデザインを行う。具体的には、写真等の画像データをタイヤのサイド部の装飾としたり、サイド部に環状のカラーラインを形成したり、文字を付したりすることができる。ユーザ端末４は、デザインしたタイヤの装飾をサーバ３へ送信する。
【００３４】
なお、写真等の画像データでサイド部を装飾する場合、円弧状に（サイド部では、タイヤ半径方向外側が半径方向内側より長くなっているので、半径方向外側が長くなるように）画像変換処理を行い、パノラマ画像（環状画像）にしてサイド部を装飾する。曲率はタイヤサイズに合わせる。
【００３５】
また、複数の装飾パターンを、サーバ３のデータベース１６に格納しておいて、その中の１つを選択して、装飾タイヤのデザインを行うようにしても良い。また、装飾パターンの配置位置、範囲についても、複数のパターンの中から選択できるようにしても良い。
【００３６】
また、車両の走行速度や環境条件（晴天、曇天、夜間等）を指定できるようにして、画面表示手段１１により、装飾タイヤを回転軸周りに少しずつ回転させて車両走行時のタイヤの外観を示す動画、または装飾タイヤに回転混色法による画像処理を行った静止画を作成し、作成した動画または静止画をユーザ端末４に表示できるようにしてもよい。
【００３７】
ステップ１０３では、ユーザは、ユーザ端末４で、ホイールの型名と、ユーザが利用している車両の型式と、車両のボディカラー等を入力して、装飾タイヤに装着するホイールと、装飾タイヤが装着される車両を特定する。特定されたホイールと車両の情報は、サーバ３に送信され、サーバ３のホイール・車両情報取得手段１２は、データベース１６からホイールの形状と車両の形状を取得し、車両のボディカラーをユーザがユーザ端末４から入力したボディカラーにして、ユーザがデザインした装飾タイヤを装着した状態で、車両の外観をユーザ端末４に表示させる。図４は、ユーザ端末４に表示される、車両に装着された状態のタイヤの外観の画面の一例を示す図である。
【００３８】
ステップ１０４では、ユーザは、ユーザ端末４で、ユーザがデザインした装飾タイヤが車両に装着された際の外観を確認する。ユーザは、外観に問題があると判断した場合には、ステップ１０２に戻り、装飾タイヤの装飾を修正する。
【００３９】
上述のように、本発明に係る装飾タイヤ注文システムは、車両の外観を、ホイールが装着されたタイヤとともにユーザ端末に表示させるので、ユーザは、装飾タイヤのデザインを行う際に、その装飾が、自分の車両やホイールに調和するか否かを予め確認することができる。
【００４０】
（装飾タイヤの発注）
次に、装飾タイヤ注文システムにより、ユーザが装飾タイヤを発注する際の動作を説明する。
【００４１】
装飾タイヤのデザインが完了した後、ユーザは、ユーザ端末４で装飾タイヤの発注処理を行う。具体的には、ユーザ端末４で、住所、氏名等の個人情報や、タイヤの受け取り方法等を入力する。入力された発注情報と装飾タイヤのデザインは、ユーザ端末４からサーバ３へ送信される。
【００４２】
なお、すでにタイヤを発注したことのあるユーザの場合には、サーバ３のデータベース１６に格納されている情報を利用することで、入力作業の少なくとも一部を不要とすることができる。
【００４３】
サーバ３は、受け取った発注情報をデータベース１６に格納する。その後、装飾タイヤの完成日時や料金等を求めて、ユーザ端末４に表示させる。
【００４４】
タイヤの工場や販売店等の担当者は、受注端末５で、サーバ３のデータベース１６から、受注した装飾タイヤの型名、装飾や、ユーザの個人情報等を取得して、受注端末５の画面で確認することができる。その後、担当者は、装飾タイヤを製造して顧客に提供したり、顧客から持ち込まれるタイヤに装飾を施すサービスを行ったりする。
【００４５】
上述のように、本発明の装飾タイヤ注文システムを利用することで、ユーザは、装飾タイヤのデザインを行う際に、その装飾が、ユーザの車両やホイールに調和するか否かを予め確認することができるので、容易に装飾タイヤをデザインすることができる。
【００４６】
また、タイヤの工場や販売店等の担当者は、受注端末で、受注した装飾タイヤの情報を、ユーザの発注後速やかに取得し、タイヤに装飾を施して、ユーザに装飾タイヤを提供することができる。
【符号の説明】
【００４７】
１  装飾タイヤ注文システム
２  ネットワーク
３  サーバ
４  ユーザ端末
５  受注端末
１１  画面表示手段
１２  ホイール・車両情報取得手段
１４  受注手段
１５  受注情報取得手段
１６  データベース
１７  情報通信手段
【図１】
0005869907.tif 000002
【図２】
0005869907.tif 000003
【図３】
0005869907.tif 000004
【図４】
0005869907.tif 000005
【図５Ａ】
0005869907.tif 000006
【図５Ｂ】
0005869907.tif 000007